(57)【要約】【課題】撮影直後に撮影した画像表示を行うが、その際に装置スタイルを変更した場合に高速な確認画像の表示が可能となる撮像装置等を提供すること。【解決手段】撮像装置は、静止画の撮影・保存および保存前に撮影画像の確認表示を行うに際して、撮影した画像データをカメラから内部メモリに取り込んだ後、画像補正処理および符号化処理を行う前に、確認表示に使用される可能性のあるサイズの拡大縮小処理を行う。【選択図】図１
2010109439.tif 000002
【特許請求の範囲】
【請求項１】
静止画の撮影・保存および保存前に撮影画像の確認表示を行う撮像装置において、
撮影した画像データをカメラから内部メモリに取り込んだ後、画像補正処理および符号化処理を行う前に、確認表示に使用される可能性のあるサイズの拡大縮小処理を行うことを特徴とする撮像装置。
【請求項２】
静止画の表示を行う情報処理装置において、
表示する画像を内部メモリにデコードした後、表示に使用される可能性のあるサイズの拡大縮小処理を行うことを特徴とする情報処理装置。
【請求項３】
撮影した静止画を記録する前に画像の確認表示を行う情報処理装置であって、撮影した画像データを全表示スタイルを対象として表示スタイル毎に拡大縮小処理を行い、表示スタイルが選択された後に撮影画像データの記録処理を行うことを特徴とする情報処理装置。
【請求項４】
最初に現在設定されている表示スタイル用に拡大縮小処理を行って確認画像を表示し、その後に他の表示スタイル用の拡大縮小処理を行うことを特徴とする請求項３記載の情報処理装置。
【請求項５】
静止画の撮影・保存および保存前に撮影画像の確認表示を行う撮像装置における確認表示画像作成方法であって、
撮影した画像データをカメラから内部メモリに取り込んだ後、画像補正処理および符号化処理を行う前に、確認表示に使用される可能性のあるサイズの拡大縮小処理を行うことを特徴とする確認表示画像作成方法。
【請求項６】
静止画の表示を行う情報処理装置における確認表示画像作成方法であって、
表示する画像を内部メモリにデコードした後、表示に使用される可能性のあるサイズの拡大縮小処理を行うことを特徴とする確認表示画像作成方法。
【請求項７】
撮影した静止画を記録する前に画像の確認表示を行う情報処理装置における確認表示画像作成方法であって、
撮影した画像データを全表示スタイルを対象として表示スタイル毎に拡大縮小処理を行い、表示スタイルが選択された後に撮影画像データの記録処理を行うことを特徴とする確認表示画像作成方法。
【請求項８】
最初に現在設定されている表示スタイル用に拡大縮小処理を行って確認画像を表示し、その後に他の表示スタイル用の拡大縮小処理を行うことを特徴とする請求項７記載の確認表示画像作成方法。
【発明の詳細な説明】
【技術分野】
【０００１】
本発明は、静止画の撮影・保存および保存前に撮影画像の確認表示を行う装置に関する。
【背景技術】
【０００２】
静止画撮影後の確認画像表示時に装置スタイル変更を行った場合、その時に撮影画像データに対して画像補正処理が行われている場合は、変更後のスタイル用の確認画像を作成するための拡大縮小処理を画像補正処理完了まで待つ必要があった。
【０００３】
関連する装置において、静止画撮影時の確認画像表示および画像補正処理、符号化は例えば、以下の手順で行っていた。
１．撮影画像データの内部メモリ取り込み。
２．撮影画像データを現在のスタイルの確認画像表示サイズに拡大縮小し、画面に表示する。
３．撮影画像データに対して画像補正処理する。
４．画像補正処理を行った撮影画像データを符号化・保存する。
【０００４】
関連するカメラを搭載している装置では、装置の表示スタイルが１つのみであったため、保存前の確認表示時に行う撮影画像データの拡大縮小処理は１度であった。しかし、昨今の携帯電話機に代表されるように、表示スタイルは複数となっている。
【０００５】
関連技術として、撮影後の撮影画像の確認を高速に行うことができる技術が提案されている。その構成は、撮像素子から読み出された画像データをメモリに一時的に保存し、画像記録前に画像表示部に表示する場合には、メモリ制御回路および画像処理回路によりメモリから読み出す画像データ量を減らしてクイックレビュー用現像処理を行い、画像表示部に表示する（例えば、特許文献１参照）。
【特許文献１】特開２０００−１５６８０２号公報
【発明の開示】
【発明が解決しようとする課題】
【０００６】
しかしながら、上述の関連技術は、使用者が装置スタイル変更を行った場合、変更後のスタイルに合わせた確認画像表示サイズに撮影画像データを拡大縮小する必要があるが、上記の３．の画像補正処理が動作している場合は確認画像作成のための拡大縮小処理を行うことができない。
これは、内部メモリ節約のために画像補正処理は同一メモリ領域上で行うことがあり、この場合に拡大縮小処理を行うと、途中までは補正処理済であるがそれ以降は補正処理未完了の画像が拡大縮小されてしまうためである。
このため、変更後のスタイルに合わせた確認画像表示サイズに撮影画像データを拡大縮小３．の画像補正処理が完了するのを待ってから行う必要があった。
【０００７】
本発明は、以上のような課題を解決するためになされたもので、静止画の撮影・保存および保存前に撮影画像の確認表示を行う装置において、撮影直後に撮影した画像表示を行うが、その際に装置スタイルを変更した場合に高速な確認画像の表示が可能となる撮像装置、情報処理装置および確認表示画像作成方法を提供することを目的とする。
【課題を解決するための手段】
【０００８】
本発明の撮像装置は、静止画の撮影・保存および保存前に撮影画像の確認表示を行う撮像装置において、
撮影した画像データをカメラから内部メモリに取り込んだ後、画像補正処理および符号化処理を行う前に、確認表示に使用される可能性のあるサイズの拡大縮小処理を行うことを特徴とする。
【０００９】
また、本発明の情報処理装置は、静止画の表示を行う情報処理装置において、
表示する画像を内部メモリにデコードした後、表示に使用される可能性のあるサイズの拡大縮小処理を行うことを特徴とする。
【００１０】
また、本発明の情報処理装置法は、撮影した静止画を記録する前に画像の確認表示を行う情報処理装置であって、撮影した画像データを全表示スタイルを対象として表示スタイル毎に拡大縮小処理を行い、表示スタイルが選択された後に撮影画像データの記録処理を行うことを特徴とする。
【００１１】
また、本発明の確認表示画像作成方法は、静止画の撮影・保存および保存前に撮影画像の確認表示を行う撮像装置における確認表示画像作成方法であって、
撮影した画像データをカメラから内部メモリに取り込んだ後、画像補正処理および符号化処理を行う前に、確認表示に使用される可能性のあるサイズの拡大縮小処理を行うことを特徴とする。
【００１２】
また、本発明の確認表示画像作成方法は、静止画の表示を行う情報処理装置における確認表示画像作成方法であって、
表示する画像を内部メモリにデコードした後、表示に使用される可能性のあるサイズの拡大縮小処理を行うことを特徴とする。
【００１３】
また、本発明の確認表示画像作成方法は、撮影した静止画を記録する前に画像の確認表示を行う情報処理装置における確認表示画像作成方法であって、
撮影した画像データを全表示スタイルを対象として表示スタイル毎に拡大縮小処理を行い、表示スタイルが選択された後に撮影画像データの記録処理を行うことを特徴とする。
【発明の効果】
【００１４】
本発明によれば、静止画の撮影・保存および保存前に撮影画像の確認表示を行う装置において、撮影直後に撮影した画像表示を行うが、その際に装置スタイルを変更した場合に高速な確認画像の表示が可能となる。
【発明を実施するための最良の形態】
【００１５】
以下、本発明の第一の実施の形態について図面を参照して詳細に説明する。図１に示す本実施の形態における撮像装置は、例として２スタイル用の構成である。
【００１６】
図１を参照すると、本実施の形態における撮像装置は、静止画の撮影および撮影画像データのメモリへの出力を行うカメラ１００と、撮影画像データを格納するメモリ１０１と、確認画像サイズへの拡大縮小処理を行う拡大縮小処理部１０２・１０６と、確認画像サイズの画像データを格納する内部メモリ１０３・１０７と、どのサイズの確認画像を表示するかを決めるスイッチ１０４と、画像の表示を行う画像表示部１０５と、撮影画像データに対し画像補正処理を行う画像補正処理部１０８と、画像補正処理済みデータを符号化・保存する符号化・保存部１０９とから成る。
【００１７】
次に、本実施の形態の動作を図面を参照して詳細に説明する。
【００１８】
まず、カメラ１００にて撮影された画像データはメモリ１０１に格納される（Ｓ２０１）。
【００１９】
その後、現在の装置スタイルに合わせた確認画像サイズへの拡大縮小を拡大縮小処理部１０２にて行い（Ｓ２０２）、拡大縮小後の画像をメモリ１０３に格納し（Ｓ２０３）、メモリ１０３に格納した画像をスイッチ１０４を経由して画像表示部１０５にて表示する（Ｓ２０４）。
【００２０】
次に、残りのスタイル用の確認画像を作成する（Ｓ２０５）。メモリ１０１に格納されている画像を残りのスタイルに合わせた確認画像サイズへ拡大縮小処理部１０６を使用して行い（Ｓ２０６）、拡大縮小後の画像をメモリ１０７に格納する（Ｓ２０７）。
ここで、現在の装置スタイルに合わせたサイズの確認画像を表示した後に残りのスタイル用の確認画像を作成するのは、確認画像を早く表示し、使用者に待ち時間を与えないためである。
【００２１】
使用者によるスタイル変更が発生した場合には、スイッチ１０４を切替え、スタイルに合ったサイズの確認画像表示を行う（Ｓ２０８）。
【００２２】
次に、撮影画像データの画像補正処理および符号化保存を画像補正処理部１０８、符号化・保存部１０９を使用して行う（Ｓ２０９）。
【００２３】
内部メモリ節約のために画像補正処理は同一メモリ領域上で行うことがあり、この場合画像補正処理中の画像を読み出して拡大縮小処理を行うことはできない。こうしてしまった場合、途中までは補正処理済であるがそれ以降は補正処理未完了の画像が拡大縮小されてしまうためである。このため、現在スタイル以外の残りのスタイル用の確認画像について、撮影画像データに画像補正処理を行う前に作成しておく。
【００２４】
上記の本実施の形態によれば、撮影した画像データをカメラから内部メモリに取り込んだ後、画像補正処理および符号化処理を行う前に、確認表示に使用される可能性のあるサイズの拡大縮小処理を行うことでスタイル変更時に待ち時間を発生させない。
【００２５】
また、撮影時のスタイル用の拡大縮小および確認画像表示を行った後に残りのスタイル用の拡大縮小を行うことで、確認画像表示にかかる時間にも変化がないため、使用者に待ち時間を追加発生させることはない。
【００２６】
なお、他の実施形態として、装置内部でＪＰＥＧ画像などをデコードし表示する場合においても、事前に全表示スタイル用画像を作成する例が挙げられる。この例では、端末スタイルを変更した際にそのスタイル用のサイズに画像をリサイズするのではなく、デコード後に全スタイル用の表示サイズ画像を作成する。
【００２７】
なお、上述する実施の形態は、本発明の好適な実施の形態であり、本発明の要旨を逸脱しない範囲内において種々変更実施が可能である。例えば、装置の機能を実現するためのプログラムを装置に読込ませて実行することにより装置の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。
【図面の簡単な説明】
【００２８】
【図１】本発明の実施の形態に係る装置構成を示す図である。
【図２】本発明の実施の形態に係る装置の全体の動作を示すフローチャートである。
【符号の説明】
【００２９】
１００    カメラ
１０１    メモリ
１０２・１０６    拡大縮小処理部
１０３・１０７    内部メモリ
１０４    スイッチ
１０５    画像表示部
１０８    画像補正処理部
１０９    符号化・保存部
【図１】
2010109439.tif 000003
【図２】
2010109439.tif 000004